(57)【要約】【課題】  映像表示画面上に音声レベルを表示する機器において、例えば５．１チャンネル等の音声の各チャンネルについて、従来のようにレベルメーターで表示したのでは、画面のほとんどが覆われてしまい、視認性が悪くなる。【解決手段】  各音声チャンネルの音声レベルに応じて、大きさがほぼ変わらずに、形状や色が変化する音声シンボルを画面上に多重する。【選択図】  図１
2008311931.tif 000002
【特許請求の範囲】
【請求項１】
映像信号を入力する映像入力手段と、
複数チャンネルの音声信号を入力する音声入力手段と、
前記音声入力手段から出力された前記複数チャンネルの音声信号のレベルを検出する検出手段と、
前記複数チャンネルごとに音声シンボルを生成し、前記映像信号と多重して表示手段に表示する表示制御手段とを備え、
前記表示制御手段は、前記検出手段により検出されたレベルに応じて前記音声シンボルの色を変えると共に、前記複数チャンネルの音声シンボルを各チャンネルに対応した位置に表示することを特徴とする信号処理装置。
【請求項２】
前記表示制御手段は、前記検出手段により検出されたレベルにかかわらず、略同一の大きさで音声シンボルを表示することを特徴とする請求項１に記載の信号処理装置。
【請求項３】
前記表示制御手段は、前記検出手段により検出されたレベルが高くなるにつれて、赤色に近づくよう音声シンボルの色を変えることを特徴とする請求項１または２記載の信号処理装置。
【請求項４】
前記映像入力手段は、被写体の光学像を撮影して前記映像信号を得る撮影手段を含み、
前記音声入力手段は、マイクロフォンと、前記マイクロフォンにより得られた音声信号を前記複数チャンネルの音声信号に変換する処理手段とを含むことを特徴とする請求項１記載の信号処理装置。
【請求項５】
前記音声入力手段は、記録媒体に記録された音声データを再生し、前記音声データを前記複数チャンネルの音声信号に変換する音声再生手段を含み、
前記映像入力手段は、前記記録媒体に記録された映像データを再生し、前記映像信号に変換する映像再生手段を含むことを特徴とする請求項１記載の信号処理装置。
【請求項６】
映像信号を入力する映像入力手段と、
複数チャンネルの音声信号を入力する音声入力手段と、
前記音声入力手段から出力された前記複数チャンネルの音声信号のレベルを検出する検出手段と、
前記複数チャンネルごとに音声シンボルを生成し、前記映像信号と多重して表示手段に表示する表示制御手段とを備え、
前記表示制御手段は、前記検出手段により検出されたレベルに応じて前記音声シンボルの形を変えると共に、前記複数チャンネルの音声シンボルを各チャンネルに対応した位置に表示することを特徴とする信号処理装置。
【請求項７】
前記表示制御手段は、前記検出手段により検出されたレベルにかかわらず、略同一の大きさで音声シンボルを表示することを特徴とする請求項６に記載の信号処理装置。
【請求項８】
前記表示制御手段は、前記検出手段により検出されたレベルに応じて前記音声シンボルの色を変えることを特徴とする請求項６または７記載の信号処理装置。
【請求項９】
前記表示制御手段は、前記検出手段により検出されたレベルが高くなることに応じて前記音声シンボルの形を、より複雑な形状になるように変えることを特徴とする請求項６から８のいずれか１項に記載の信号処理装置。
【請求項１０】
前記映像入力手段は、被写体の光学像を撮影して前記映像信号を得る撮影手段を含み、
前記音声入力手段は、マイクロフォンと、前記マイクロフォンにより得られた音声信号を前記複数チャンネルの音声信号に変換する処理手段とを含むことを特徴とする請求項６記載の信号処理装置。
【請求項１１】
前記音声入力手段は、記録媒体に記録された音声データを再生し、前記音声データを前記複数チャンネルの音声信号に変換する音声再生手段を含み、
前記映像入力手段は、前記記録媒体に記録された映像データを再生し、前記映像信号に変換する映像再生手段を含むことを特徴とする特徴とする請求項６記載の信号処理装置。
【請求項１２】
映像信号を入力する映像入力ステップと、
複数チャンネルの音声信号を入力する音声入力ステップと、
前記複数チャンネルの音声信号のレベルを検出する検出ステップと、
前記複数チャンネルごとに音声シンボルを生成し、前記映像信号と多重して表示手段に表示する表示制御ステップとを備え、
前記表示制御ステップは、前記検出されたレベルに応じて前記音声シンボルの色を変えると共に、前記複数チャンネルの音声シンボルを各チャンネルに対応した位置に表示することを特徴とする信号処理方法。
【請求項１３】
前記表示制御ステップは、前記検出されたレベルにかかわらず、略同一の大きさで音声シンボルを表示することを特徴とする請求項１２に記載の信号処理方法。
【請求項１４】
前記表示制御ステップは、前記検出されたレベルが高くなるにつれて、赤色に近づくよう音声シンボルの色を変えることを特徴とする請求項１２または１３記載の信号処理方法。
【請求項１５】
前記映像入力ステップは、被写体の光学像を撮影して前記映像信号を得る撮影ステップを含み、
前記音声入力ステップは、マイクロフォンにより得られた音声信号を前記複数チャンネルの音声信号に変換する処理ステップとを含むことを特徴とする請求項１２記載の信号処理方法。
【請求項１６】
前記音声入力ステップは、記録媒体に記録された音声データを再生し、前記音声データを前記複数チャンネルの音声信号に変換する音声再生ステップを含み、
前記映像入力ステップは、前記記録媒体に記録された映像データを再生し、前記映像信号に変換する映像再生ステップを含むことを特徴とする請求項１２記載の信号処理方法。
【請求項１７】
映像信号を入力する映像入力ステップと、
複数チャンネルの音声信号を入力する音声入力ステップと、
前記複数チャンネルの音声信号のレベルを検出する検出ステップと、
前記複数チャンネルごとに音声シンボルを生成し、前記映像信号と多重して表示手段に表示する表示制御ステップとを備え、
前記表示制御ステップは、前記検出ステップで検出されたレベルに応じて前記音声シンボルの形を変えると共に、前記複数チャンネルの音声シンボルを各チャンネルに対応した位置に表示することを特徴とする信号処理方法。
【請求項１８】
前記表示制御ステップは、前記検出されたレベルにかかわらず、略同一の大きさで音声シンボルを表示することを特徴とする請求項１７に記載の信号処理方法。
【請求項１９】
前記表示制御ステップは、前記検出されたレベルに応じて前記音声シンボルの色を変えることを特徴とする請求項１７または１８記載の信号処理方法。
【請求項２０】
前記表示制御ステップは、前記検出されたレベルが高くなることに応じて前記音声シンボルの形を、より複雑な形状になるように変えることを特徴とする請求項１７から１９のいずれか１項に記載の信号処理方法。
【請求項２１】
前記映像入力ステップは、被写体の光学像を撮影して前記映像信号を得る撮影ステップを含み、
前記音声入力ステップは、マイクロフォンにより得られた音声信号を前記複数チャンネルの音声信号に変換する処理ステップとを含むことを特徴とする請求項１７記載の信号処理方法。
【請求項２２】
前記音声入力ステップは、記録媒体に記録された音声データを再生し、前記音声データを前記複数チャンネルの音声信号に変換する音声再生ステップを含み、
前記映像入力ステップは、前記記録媒体に記録された映像データを再生し、前記映像信号に変換する映像再生ステップを含むことを特徴とする特徴とする請求項１７記載の信号処理方法。
【請求項２３】
請求項１２から１６のいずれかに記載の信号処理方法をコンピュータに実行させるためのプログラムコードを含むことを特徴とするプログラム。
【請求項２４】
請求項１７から２２のいずれかに記載の信号処理方法をコンピュータに実行させるためのプログラムコードを含むことを特徴とするプログラム。
【請求項２５】
請求項２３に記載のプログラムを記憶した、コンピュータで読み取り可能な記憶媒体。
【請求項２６】
請求項２４に記載のプログラムを記憶した、コンピュータで読み取り可能な記憶媒体。
【発明の詳細な説明】
【技術分野】
【０００１】
本発明は、信号処理装置に関し、特に映像信号と共に音声信号を処理する装置に関する。
【背景技術】
【０００２】
従来、音声信号を処理する装置としてビデオカメラ等が知られている。ビデオカメラでは、被写体の音声をマイクロフォンによって入力し、映像と共に記録する。これらビデオカメラのなかには、マイクロフォンで集音した音声のレベルをユーザが確認できるように液晶ディスプレイ上にマイクロフォンで集オンシタ音声のレベルメーターを表示する機能を有しているものがある。（例えば、特許文献１）。
【０００３】
また、近年のビデオカメラでは、通常の２チャンネルステレオ音声だけではなく、５．１チャンネル等のサラウンド音声を生成し収録することが可能になってきている。
【特許文献１】特開２００５−０２６８８９
【発明の開示】
【発明が解決しようとする課題】
【０００４】
５．１チャンネルの音声の音声レベルを確認するため、従来のように各チャンネルについてレベルメーターを表示することが考えられる。しかしながら５．１チャンネルの各チャンネルについてレベルメーターを表示した場合、画面上の表示領域が各チャンネルのレベルメーターによって覆われてしまう。そのため被写体の画像が見えづらくなるという問題があった。本発明はこの様な問題に鑑みてなされたもので、表示画面の画像の視認性を悪くしてしまう可能性を低減しつつ、各チャンネルの音声レベルを画面上に表示することができる信号処理装置を提供することを目的とする。
【課題を解決するための手段】
【０００５】
この様な課題を解決するために、本発明の信号処理装置は、映像信号を入力する映像入力手段と、複数チャンネルの音声信号を入力する音声入力手段と、前記音声入力手段から出力された前記複数チャンネルの音声信号のレベルを検出する検出手段と、前記複数チャンネルごとに音声シンボルを生成し、前記映像信号と多重して表示手段に表示する表示制御手段とを備え、前記表示制御手段は、前記検出手段により検出されたレベルに応じて前記音声シンボルの色を変えると共に、前記複数チャンネルの音声シンボルを各チャンネルに対応した位置に表示することを特徴とする。
【０００６】
この様な課題を解決するために、本発明の信号処理装置は、映像信号を入力する映像入力手段と、複数チャンネルの音声信号を入力する音声入力手段と、前記音声入力手段から出力された前記複数チャンネルの音声信号のレベルを検出する検出手段と、前記複数チャンネルごとに音声シンボルを生成し、前記映像信号と多重して表示手段に表示する表示制御手段とを備え、前記表示制御手段は、前記検出手段により検出されたレベルに応じて前記音声シンボルの形を変えると共に、前記複数チャンネルの音声シンボルを各チャンネルに対応した位置に表示することを特徴とする。
【０００７】
本発明の信号処理方法は、映像信号を入力する映像入力ステップと、複数チャンネルの音声信号を入力する音声入力ステップと、前記複数チャンネルの音声信号のレベルを検出する検出ステップと、前記複数チャンネルごとに音声シンボルを生成し、前記映像信号と多重して表示手段に表示する表示制御ステップとを備え、前記表示制御ステップは、前記検出されたレベルに応じて前記音声シンボルの色を変えると共に、前記複数チャンネルの音声シンボルを各チャンネルに対応した位置に表示することを特徴とする。
【０００８】
本発明の信号処理方法は、映像信号を入力する映像入力ステップと、複数チャンネルの音声信号を入力する音声入力ステップと、前記複数チャンネルの音声信号のレベルを検出する検出ステップと、前記複数チャンネルごとに音声シンボルを生成し、前記映像信号と多重して表示手段に表示する表示制御ステップとを備え、前記表示制御ステップは、前記検出手段により検出されたレベルに応じて前記音声シンボルの形を変えると共に、前記複数チャンネルの音声シンボルを各チャンネルに対応した位置に表示することを特徴とする。
【発明の効果】
【０００９】
本発明によれば、複数チャンネルそれぞれの音声レベルを表示したとしても、画像の視認性を悪くしてしまう可能性を低減することができる。
【発明を実施するための最良の形態】
【００１０】
以下、図面を参照して本発明の実施例を詳細に説明する。
【実施例１】
【００１１】
入力されている音声の各チャンネルの音声レベルをビデオカメラの液晶パネルに表示することができるビデオカメラについて説明する。
【００１２】
図１は、本実施例のビデオカメラのブロック図である。
【００１３】
図１において、１０１はビデオカメラの各種機能に応じて、各ブロックを制御する制御部である。１０２は、外部からの指示をビデオカメラに入力するための操作部である。１０３は、制御部１０１からの制御信号や、操作部１０２からの指示信号等が行き来する制御信号バスである。１０４は、各ブロック間の画像データおよび音声データが行き来する画像／音声データバスである。
【００１４】
１０５は、被写体の光学像を取り込む撮影レンズや、光量を制御する絞り、光学像を電気信号に変換する撮像素子等からなる撮像部である。１０６は、撮像部１０５から得た画像信号を適正な信号レベルにし、デジタルデータに変換し、１フレーム分ずつ記録する等の映像記録方式に必要な処理を行う映像処理部である。
【００１５】
１０７は、音声を取り込むマイクロフォン、取り込んだ音声信号を適正なレベルまで増幅する増幅器等からなる集音部である。集音部１０７は３つの無指向性のマイクエレメントを有している。１０８は、集音部１０７から得た音声信号をデジタルデータに変換し、例えば、３チャンネルのマイクロフォンから得られた音声信号を５．１チャンネルデータに変換する等の音声記録方式に必要な処理を行う音声処理部である。
【００１６】
１０９は、音声処理部１０８に入力される３チャンネルのマイクロフォンから得られた音声の各音声チャンネルの音声レベルを検出し、順次、制御部１０１に送信する音声解析部である。音声解析部１０９は、音声処理部１０８により変換された５．１チャンネルの音声の各チャンネルの音声レベルを検出し、順次、制御部１０１に送信することもできる。また、後述の音声再生処理部１１６により再生された５．１チャンネルの音声の各チャンネルの音声レベルを検出し、順次、制御部１０１に送信することもできる。
【００１７】
１１０は、記録中や音声レベル調整中は、映像処理部１０６から得られた映像データや、音声解析部１０９で検出された各チャンネルの音声データの音声レベルに対応するシンボルを表示する表示部である。表示部１１０は、再生中は後述の映像再生処理部１１４で再生された映像を表示するほか、各種メニューの表示、後述の音声再生処理部１１６で再生された各チャンネルの音声データの音声レベルに対応するシンボルを表示することができる。１１１は、表示部１１０の表示を制御するための表示制御部である。表示制御部１１１は、制御部１０１からの指示に応じて、各チャンネルの音声データの音声レベルに対応するシンボルを生成するほか、前述の映像データと前述のシンボルを多重するための処理を行う。
【００１８】
１１２は、映像処理部１０６から得られた映像データ、音声処理部１０８から得られた音声データ、その他のデータを必要に応じて関連づけて記録するための記録媒体としてのハードディスク（以後、ＨＤＤ）である。１１３は、ＨＤＤ１１２にアクセスし、上記の映像データ、音声データ、その他のデータ等を読み書きするためのアクセス部である。
【００１９】
１１４は、アクセス部１１３によって読み出されたＨＤＤ１１２の映像データを映像記録方式に従って処理し、所定の形態に変換する映像再生処理部である。１１５は、映像再生処理部１１１で再生された映像信号を外部に出力するための映像出力端子である。
【００２０】
１１６は、アクセス部１１３によって読み出されたＨＤＤ１１２の音声データを映像記録方式に従って再生する音声再生処理部である。１１７は、音声再生処理部１１６で再生された音声信号を外部に出力するための音声出力端子である。
【００２１】
１１８は、ＰＣ等の外部機器と通信を行ったり、ＨＤＤ１１２に記録された映像データ、音声データ等を外部機器とやり取したりするためのＵＳＢ端子である。１１９は、ＵＳＢ端子１１８と接続された外部機器とのデータのやり取りを制御するＵＳＢコントローラである。
【００２２】
まず、本実施例のビデオカメラの撮影準備段階の基本的な動作について説明する。ここでは、各チャンネルの音声レベルが大きくなりすぎないように調整を行う例について説明する。
【００２３】
ユーザが操作部１０２を操作し、ビデオカメラの電源を入れ、記録モードを指定する。
【００２４】
記録モードが指定されると、撮像部１０５の撮影レンズにより取り込まれた被写体の光学像は、絞りにより光量を制御され、撮像素子により電気信号に変換される。そして、変換された電気信号は、映像処理部１０６で、適正なレベルに調整され、デジタルデータに変換され、表示や映像記録方式に必要な処理が施される。
【００２５】
また、集音部１０７の３つのマイクロフォンにより集音された３つの音声信号は、増幅器により適正なレベルまで増幅される。そして、これら３つの音声信号は、音声処理部１０８で、デジタルデータに変換され、例えば、５．１チャンネルデータに変換する等の音声記録方式に必要な処理が施される。
【００２６】
音声解析部１０９は、この時、音声処理部に入力される３チャンネルマイクロフォンから得られた音声信号の各チャンネルまたは、５．１チャンネルに変換された音声信号の各チャンネルの音声レベルを検出し、順次、制御部１０１に送信する。
【００２７】
表示制御部１１１は、各チャンネルの音声レベルに応じた制御部１０１からの指示に応じて、各チャンネルの音声レベルに応じたシンボル画像を生成する。この音声レベルに応じたシンボルの表示については後述する。表示制御部１１１は、映像処理部１０６からの映像データと音声シンボル画像を多重して表示部１１０に表示する。この時表示制御部１１１は、各音声シンボル画像を各チャンネルの入出力位置に応じた所定の位置に多重する。表示部１１０は、表示制御部１１１からの指示に基づき、入力された映像信号を表示する。
【００２８】
この時の表示部１１０の表示について説明する。図２Ａは、表示部１１０の表示画面上の音声シンボルの説明をするための図である。ここでは、５．１チャンネルサラウンド処理後の各チャンネルの音声レベルを示すための音声シンボル表示をしている例を示している。
【００２９】
２０１は、前側左音声を示すための前側左音声シンボルである。２０２は、前側中央音声を示すための前側中央音声シンボルである。２０３は、前側右音声を示すための前側右音声シンボルである。２０４は、後側左音声を示すための後側左音声シンボルである。２０５は、後側右音声を示すための後側右音声シンボルである。これらの音声シンボルは、表示部１１０の上を撮影中の画像の奥行方向、下を画像の手前方向、左を画像の左方向、右を画像の右方向と見立て、音声入出力方向と関連するように配置されている。ここでは、重低音を用のサブウーファーのチャンネルの表示は省略しているが、例えば画面上の下側中央に表示することなどができる。
【００３０】
本実施例では、図２Ｂに示すように、各チャンネルのシンボルの色を音声レベルに応じて変更するようになっている。図２Ｂにおいて、横軸は音声レベル、縦軸はシンボル色を示している。本実施例では、音声レベルが−４０ｄＢ未満では、シンボル表示を消し、−４０ｄＢから−１２ｄＢではシンボルの色を白にし、−１２ｄＢから−６ｄＢではシンボルの色を黄にし、−６ｄＢ以上ではシンボルの色を赤にする。本実施例では上記のようにしたが、色はこの色に限られるものではなく、音声レベルに応じて徐々に変色するようにしても良い。ただし、赤色を音声レベルの高い場合、例えば音声が割れてしまうほど高いレベルのシンボルの色とすることは、警告の意味で効果がある。また、音声シンボルの表示は音声レベルに関わらず略同一の大きさである。
【００３１】
音声解析部１０９の検出結果が、前側左音声が−１２ｄＢ〜−６ｄＢ、前側中央音声が、−６ｄＢ以上、前側右音声が−６ｄＢ以上、後側左音声が−４０ｄＢ以下、後側右音声が−４０ｄＢ以下だった場合について説明する。この時の表示を示しているのが図３Ａである。図３Ａでは、前側左音声が−１２ｄＢ〜−６ｄＢなので、前側左音声シンボル２０１が黄になっている。また、前側中央音声が−６ｄＢ以上なので、前側中央音声シンボル２０２が赤になっている。前側右音声が−６ｄＢ以上なので、前側右音声シンボル２０３が赤になっている。また、後側左音声が−４０ｄＢ以下なので、後側左音声シンボル２０４の表示は消える。また、後側右音声が−４０ｄＢ以下なので、後側右音声シンボル２０５の表示は消える。
【００３２】
ここで、ユーザは、５．１チャンネルサラウンド処理後の音声のうち前側中央音声と前側右音声のレベルが高いことを表示部１１０に表示された音声シンボルを確認することにより知ることができる。ユーザは、操作部１０２を操作し、音声レベルが高すぎる前側中央チャンネルと前側右チャンネルを個別に指定し、録音される音声レベルを下げるように指示を出すことができる。この指示に応じて、制御部１０１は、音声処理部１０８のサラウンド処理部に対して、前側中央チャンネルと前側右チャンネルの音声レベルを下げるように指示を出す。音声処理部１０８では、制御部１０１の指示に応じて、デフォルトの音声レベル設定よりも、前側中央チャンネルと前側右チャンネルの音声レベルを下げてサラウンド処理を行うように設定が変更される。この設定は、電源がＯＦＦされるまで制御部１０１のメモリや音声処理部１０８のメモリに記憶される。また、前側中央チャンネルと前側右チャンネルの音声レベルを下げるように集音部１０７の増幅器の増幅レベルの設定を変更するようにしても良い。
【００３３】
図３Ｂは、この設定を行い、録音される音声レベルを調整した表示を示している。調整の結果、前側左音声が−１２ｄＢ〜−６ｄＢ、前側中央音声が−１２ｄＢ〜−６ｄＢ、前側右音声が−１２ｄＢ〜−６ｄＢ、後側左音声が−４０ｄＢ〜−１２ｄＢ、後側右音声が−４０ｄＢ〜−１２ｄＢになり良好な音声レベルとなっている。図３Ｂでは、前側左音声が−１２ｄＢ〜−６ｄＢなので、前側左音声シンボル２０１が黄になっている。また、前側中央音声が−１２ｄＢ〜−６ｄＢなので、前側中央音声シンボル２０２が黄になっている。また、前側右音声が−４０ｄＢ〜−１２ｄＢなので、前側右音声シンボル２０３が白になっている。また、後側左音声が−４０ｄＢ〜−１２ｄＢなので、後側左音声シンボル２０４が白になっている。また、後側右音声が−４０ｄＢ〜−１２ｄＢなので、後側右音声シンボル２０５が白になっている。ユーザはこの表示を確認することにより、音声レベルが高すぎるチャンネルが無いことを確認することができる。
【００３４】
以上の操作を行うことにより、撮影準備段階で録音する音声の音声レベルを事前に調整することができる。
【００３５】
次に、記録動作の基本的な動作について説明する。
【００３６】
ユーザが操作部１０２を操作することにより記録動作が開始する。撮像部１０５の撮影レンズにより取り込まれた被写体の光学像は、絞りにより光量を制御され、撮像素子により電気信号に変換される。そして、変換された電気信号は、映像処理部１０６で、適正なレベルに調整され、デジタルデータに変換され、１フレーム分ずつ記録され、表示や映像記録方式に必要な処理が施される。
【００３７】
また、集音部１０７の３つのマイクロフォンにより集音された３つの音声信号は、増幅器により適正なレベルまで増幅される。そして、これら３つの音声信号は、音声処理部１０８で、デジタルデータに変換され、５．１チャンネルデータに変換する等の音声記録方式に必要な処理が施される。
【００３８】
映像処理部１０６から得られた映像データと音声処理部１０８から得られた音声データは、制御部１０１の指示に基づき結合され、コンテンツデータとしてアクセス部１１３によってＨＤＤ１１２に記録される。
【００３９】
この時、音声解析部１０９は、撮影準備段階同様、入力された音声信号の各チャンネルの音声レベルを検出し、順次、制御部１０１に送信する。
【００４０】
また、表示制御部１１１も、撮影準備段階同様、各チャンネルの音声レベルに応じたシンボル画像を生成し、該シンボル画像を音声の入出力位置に応じた画面上の所定の位置に多重する処理を行う。表示部１１０は、表示制御部１１１からの指示に基づき、入力された映像信号を表示する。
【００４１】
そして、ユーザが操作部１０２を操作し、記録停止を指示すると、映像処理部１０６は、映像処理上の最適な位置で終了させ、またそれに合わせて音声処理部１０８は、音声の処理を終了する。そして、アクセス部１１３は、コンテンツデータの、記録動作を終了する。
【００４２】
次に、ＨＤＤ１１２に記録されたコンテンツデータを再生する際の動作について説明する。
【００４３】
ユーザが操作部１０２を操作し、再生モードを指定する。
【００４４】
再生モードが指定されると、アクセス部１１３はＨＤＤ１１２に記録されたコンテンツデータの一覧を読出し、表示制御部１１１に送信する。表示制御部１１１は、表示部１１０に該コンテンツデータの一覧を表示させる。
【００４５】
ユーザは表示部１１０の表示を確認しながら操作部１０２を操作することにより、再生したいコンテンツデータを選択する。制御部１０１は、ユーザの選択操作に応じて、アクセス部１１３を制御し、ＨＤＤ１１２からコンテンツデータを再生する。
【００４６】
再生されたコンテンツデータは、映像データと音声データとに分離される。映像データは、映像再生処理部１１４に送信され、音声データは、音声再生処理部１１６に送信される。
【００４７】
映像再生処理部１１４は、再生された映像データを映像記録方式に従って再生するための処理を行い、表示制御部１１１及び映像出力端子１１５に送信する。表示制御部１１１は、コンテンツデータの一覧に代えて、指定されたコンテンツデータの映像データを表示部１１０に表示させる。そして、
音声再生処理部１１６は、再生された音声データを５．１チャンネルの音声情報に変換し、音声出力端子１１７及び内蔵マイクロフォン等に送信する。
【００４８】
この時、音声解析部１０９は、音声再生処理部１１６から得られた５．１チャンネル音声情報の各チャンネルの音声レベルを検出し、順次、制御部１０１に送信する。表示制御部１１１は、該音声レベルに応じた音声シンボルを制御部１０１の指示に応じて生成し、上述のコンテンツデータの映像データに多重して表示部１１０に表示させる。
【００４９】
このように、音声レベルについて、レベルメーターではなく、音声レベルに応じてその色を変更するシンボルを映像データに多重して表示することにより、多重される映像データの視認性が悪くなる可能性を低減できる。また、再生コンテンツの音声レベルを表示することができるので、例えば各チャンネルの音量の調整を行う際にも映像データの視認性が悪くなる可能性を低減できる。
【００５０】
本実施例では、前側中央音声と前側右音声の音声レベルが高いので、個別に音声レベルが下がるように操作を行ったが、全体の音声入力レベルを下げる操作を行ったり、前後左右のバランスを調整したりする操作も考えられる。このようにすることで、より簡単に録音時の音声レベルの調整を行うことができる。
【００５１】
本実施例の音声入力レベル表示は、撮影準備段階のみ表示を行い、映像記録中には表示をオフにすることも可能である。これによってユーザが必要な時のみレベル表示が行われ、さらに撮影画像の視認性を高めたビデオカメラを実現できる。
【００５２】
本実施例では、サラウンド処理後の音声の音声レベルを画面上に表示をしていた。しかし、サラウンド処理前の例えば、３チャンネルのマイクロフォンから集音された音声の音声レベルをマイクロフォンの配置位置に応じた画面上の位置に表示するようにしても良い。このようにすることで、マイクロフォンにおける音声レベルを、多重される映像データの視認性が悪くなる可能性を低減しつつ表示することができる。また、３チャンネルに限られるものではなく、４チャンネルや５チャンネルのマイクロフォンから集音された音声の音声レベルを画面上に表示するようにしても良い。
【００５３】
また、本実施例では、５．１チャンネルサラウンド音声の表示例について説明したが、チャンネル数はこれに限られるものではなく、６．１チャンネルや７．２チャンネル等のサラウンド音声でもよい。
【００５４】
また、本実施例では、音声シンボルの大きさはほぼ変わらなかったが、音声レベルに応じて拡大縮小を視認性が悪くならない程度に形状を変化させずに拡大するようにしても良い。このようにすることで、視認性が悪くなる可能性を低減すると共により音声レベルが視覚的にわかりやすくなる。
【００５５】
また、本実施例では、各チャンネルの音声レベルに応じて音声シンボルが変色する実施例について説明した。しかし、各チャンネルの音声レベルに応じて音声シンボルが変形するようにしても良い。この場合、図４に示すように音声レベルに応じて変形するようになっている。つまり、音声レベルが−４０ｄＢ未満では、シンボル表示を消し、−４０ｄＢから−１２ｄＢではシンボルの形を円にし、−１２ｄＢから−６ｄＢではシンボルの形を三角にし、−６ｄＢ以上ではシンボルの形を星形六角形にしている。また、シンボルの形は、この形に限られるものではなく、音声レベルが高くなるにつれて徐々に多角形の角の数を増やす等して複雑な形状に変化するようにしても良い。このようにすると、音声レベルが高すぎるときは、複雑な図形が表示されるので音声レベルが高すぎることを認識しやすくなる。音声シンボルが変形する場合には、音声シンボルの大きさを視認性が悪くならない程度に音声レベルに応じて拡大するようにしても良い。たとえば、矢印の太さや長さを変更するようにしてもかまわない。このようにすることで、多重される映像データの視認性が悪くなる可能性を低減できる。また、ここでは音声レベルに応じて変形するだけではなく変色もするようにしても良い。また、シンボルの色は、この色に限られるものではない。
【００５６】
また、本実施例のビデオカメラにおいて、表示部１１０が対面撮影用に回転可能なものであれば、表示制御部１１１は表示部１１０の回転に応じて、音声シンボルの表示位置を対面撮影用の表示位置に変更するようにしてもよい。具体的には、例えば撮影画像の上下または左右の表示を切り替えると共に、音声シンボルの表示位置の上下または左右の表示位置を切り替える。このようにすることで、対面撮影での各チャンネルの音声レベルの状態を確認でき、多重される映像データの視認性が悪くなる可能性を低減できる。
【００５７】
（他の実施例）
本発明は、実施例では、音声を集音する機能を有する装置として、ビデオカメラについて説明したが、これ以外の装置でも、映像データを表示しつつ、音声を集音し、音声レベルについて表示をする機能を有する装置であれば適用可能である。また、サラウンド音声を再生する例えばＤＶＤプレイヤーやハードディスクレコーダーにも適用可能である。
【００５８】
また、本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【００５９】
この場合、記憶媒体から読み出されたプログラムコード自体が前述した実施形態の機能を実現することになり、プログラムコード自体及びそのプログラムコードを記憶した記憶媒体は本発明を構成することになる。
【００６０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６１】
また、上述のプログラムコードの指示に基づき、コンピュータ上で稼動しているＯＳ（基本システムやオペレーティングシステム）などが処理の一部又は全部を行い、その処理によって前述した実施形態の機能が実現される場合も含まれることは言うまでもない。
【００６２】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図面の簡単な説明】
【００６３】
【図１】本発明を適用したビデオカメラのブロック図である。
【図２】本発明の音声シンボルについて説明するための図である。
【図３】本発明を適用したビデオカメラの音声シンボルの表示例を示した図である。
【図４】本発明のその他の実施例の音声シンボルについて説明するための図である。
【符号の説明】
【００６４】
１０１  制御部
１０２  操作部
１０３  制御バス
１０４  画像／音声バス
１０５  撮像部
１０６  映像処理部
１０７  集音部
１０８  音声処理部
１０９  音声解析部
１１０  表示部
１１１  表示制御部
１１２  ハードディスク
１１３  アクセス部
１１４  映像再生処理部
１１５  映像出力端子
１１６  音声再生処理部
１１７  音声出力端子
【図１】
2008311931.tif 000003
【図２】
2008311931.tif 000004
【図３】
2008311931.tif 000005
【図４】
2008311931.tif 000006